(57)【要約】【課題】リサイクル適正とインスタントフイルムユニットの平面性及び排出性とに優れたインスタントフイルムパック及びカメラを提供する。【解決手段】フイルムパック２５のケースを構成する裏蓋５３の開口５７，５８を塞ぐ遮光部材を、ポリスチレンと相溶性を有するプラスチックで０．３〜０．４５ｍｍの厚さの柔軟なシート状に形成されて、裏蓋５３内に部分的に固着される固着用シート５４と、同様の素材で０．５〜１．０ｍｍの厚さの弾性を有する板状に形成され、固着用シート５４に部分的に固着される押圧板５５とから構成し、カメラの押上げ部材によって押圧板５５を押圧して、フイルムユニット１４を均一に押し上げる。【選択図】図１
2006195484.tif 000002
【特許請求の範囲】
【請求項１】
複数枚のインスタントフイルムユニットを箱形状のケース内に収納したインスタントフイルムパックが装填されるパック室と、
このパック室を開閉する蓋部材と、
この蓋部材の内面に設けられ、該蓋部材が閉じられた際にケースの背面側に設けられた押圧用開口から該ケース内に入り込み、押圧用開口をケース内から塞ぐ遮光部材を介してインスタントフイルムユニットを押圧することにより露光開口に対面する最前列のインスタントフイルムユニットに平面性を付与する押上げ部材とを備えたカメラにおいて、
前記押上げ部材は、前記ケースの露光開口が設けられた面の内壁より、遮光部材の厚みとインスタントフイルムユニットの厚みとを加えた長さ分だけ背面側に寄った位置まで突出することを特徴とするカメラ。
【発明の詳細な説明】
【技術分野】
【０００１】
本発明は、インスタントフイルムパック及びカメラに関し、更に詳しくは、リサイクル適正及び排出性を向上させたインスタントフイルムパックと、インスタントフイルムユニットの平面性を向上させたカメラとに関するものである。
【背景技術】
【０００２】
箱形状のケース内にモノシートタイプのインスタントフイルムユニット（以下、フイルムユニットと省略する）を複数枚収納したインスタントフイルムパック（以下、フイルムパックと省略する）が各種販売されている。ケースは、遮光性を付与されたプラスチック、例えばポリスチレンで形成されており、フイルムユニットの露光面を露呈させる露光開口と、露光済みのフイルムユニットを排出するスリット形状の排出口とが設けられている。このフイルムパックは、インスタントカメラやプリンタ等に用いられ、これらの機器に設けられたパック室にケースごと装填される。
【０００３】
また、特開平７−２０９８１４号公報には、ケースの背面に押圧用開口が形成されたフイルムパックと、パック室を開閉する蓋部材の内面に、蓋部材が閉じられた際に、ケースの押圧用開口に入り込んでフイルムユニットを押圧し、露光開口に対面する最前列のフイルムユニットに平面性を付与するようにした発明が記載されている。そして、このフイルムパックでは、ケースの内側に押圧用開口を塞ぐシート状の遮光部材を組み込むとともに、この遮光部材をポリカーボネートやポリアリレート等の弾性を有するプラスチックで形成して、押上げ部材と協同してフイルムユニットを押し上げるようにしている。
【０００４】
更に、本出願人にて出願された特願平９−２１８１３６号明細書では、フイルムパックのケースのリサイクル適正を向上させるために、ケースの成形に使用しているポリスチレンと相溶性のあるプラスチック、例えばポリフェニレンエーテール等のプラスチックを用いて遮光部材を形成することが提案されている。
【発明の開示】
【発明が解決しようとする課題】
【０００５】
上述した各フイルムパックでは、遮光部材がケース内でズレ動かないようにするために、遮光部材の中央部分をケースの内壁面に部分的に固着している。そのため、弾性を有し、部分的に固着された遮光部材を変形させてフイルムユニットを押圧させるためには、押上げ部材の押圧力を強くしなければならず、カメラがコストアップしたり、フイルムパック装填後の蓋部材の閉鎖に強い力が必要になる等の問題が発生する。
【０００６】
また、押上げ部材の押圧力を強くしすぎると、ケース内に収納されているフイルムユニットの枚数が少なくなった際に、カメラの押上げ部材と遮光部材とによる押圧力の方がフイルムユニットの剛性よりも高くなり、フイルムユニットが露光開口から張り出すように変形することがあった。これによれば、フイルムユニットの平面性が悪化するため、プリント品質が低下してしまう。
【０００７】
更に、フイルムパックのケースのリサイクル適正を向上させるために、上記問題点を解決することできる遮光部材をポリスチレンと相溶性のあるプラスチックで成形することが望まれている。
【０００８】
本発明は、上記問題点を解決するためのもので、リサイクル適正とフイルムユニットの平面性及び排出性とに優れたフイルムパックとカメラとを提供することを目的とする。
【課題を解決するための手段】
【０００９】
上記問題点を解決するために、本発明のフイルムパックは、ポリスチレンと相溶性を有するプラスチックを用いて０．３〜０．４５ｍｍの厚さの柔軟なシート状に形成され、ケースの内面に部分的に固着されて押圧用開口を塞ぐ固着用シートと、ポリスチレンと相溶性を有するプラスチックを用いて０．５〜１．０ｍｍの厚さの弾性を有する板状に形成され、該固着用シートに部分的に固着されてケースの押圧用開口を塞ぐとともに、押上げ部材の押圧力をインスタントフイルムユニットに均一に伝達する押圧板とから遮光部材を形成したものである。
【００１０】
また、固着用シートを肉盗みして強度を低下させ、押上げ部材による押圧板の押圧を阻害しないようにしたものである。
【００１１】
また、押圧板の端部をインスタントフイルムユニット側に向けて折り曲げ、未使用時の際に最後列のインスタントフイルムユニットと押圧板の端部とが当接するようにしたものである。これによれば、押圧板と固着用シートとがケースの内壁に押し付けられるため、ケース内の遮光性が向上する。
【００１２】
更に、本発明のカメラでは、押上げ部材の突出量を、ケースの露光開口が設けられた面の内壁より、遮光部材の厚みとインスタントフイルムユニットの厚みとを加えた長さ分だけ背面側に寄った位置までとして、ケース内のフイルムユニットの残り枚数が少ない際のフイルムユニットの平面性を向上させたものである。また、パック室には、請求項１ないし３いずれか記載のインスタントフイルムパックを装填して使用するようにしたものである。
【発明の効果】
【００１３】
以上説明したように、本発明のインスタントフイルムパックは、押圧用開口をケース内から塞ぐ遮光部材を、ポリスチレンと相溶性を有するプラスチックを用いて０．３〜０．４５ｍｍの厚さの柔軟なシート状に形成され、ケースの内面に部分的に固着される固着用シートと、ポリスチレンと相溶性を有するプラスチックを用いて０．５〜１．０ｍｍの厚さの弾性を有する板状に形成され、該固着用シートに部分的に固着されるとともに、押上げ部材の押圧力をインスタントフイルムユニットに均一に伝達する押圧板とから構成したので、押上げ部材の押圧力を強くしなくても効果的に押圧板をフイルムユニットに押し付けることができ、良好な平面性と排出性とを得ることが出来る。
【００１４】
また、固着用シートは、肉盗みして強度を低下させているため、押上げ部材による押圧板の押圧を阻害することがない。更に、押圧板の端部をインスタントフイルムユニット側に向けて折り曲げ、未使用時の際に最後列のインスタントフイルムユニットと該押圧板の端部とが当接するようにしたので、押圧板によるケース内の遮光性を向上させることができる。
【００１５】
また、押上げ部材の突出量は、ケースの露光開口が設けられた面の内壁より、遮光部材の厚みとインスタントフイルムユニットの厚みとを加えた長さ分だけ背面側に寄った位置までとしたので、ケース内のフイルムユニットの残り枚数が少なくなった際でも、フイルムユニットが撓んで露光開口から突出して平面性が悪くなるようなことはない。
【発明を実施するための最良の形態】
【００１６】
図２は、本発明のインスタントフイルムパックを使用するカメラの外観を示す斜視図である。カメラ２は、正面から見て略矩形形状とされており、背面側から複数枚のフイルムユニットが収納されたフイルムパックが装填される。カメラ２の前面中央部には、撮影レンズ３が組み込まれたレンズ鏡筒４が設けられている。このレンズ鏡筒４は、カメラ本体５内に沈胴する位置と、図中２点鎖線で示すようにカメラ本体５に対して前面側に２段突出する位置との間で移動自在とされており、不使用時のカメラ２の携帯性が向上されている。レンズ鏡筒４の前面下方には、奥に測光素子が配置された測光用窓６が設けられている。
【００１７】
カメラ２の一方の側方は、略円柱形状に形成されたグリップ８とされており、このグリップ８の前面には、ストロボ発光部９，シャッタボタン１０，ファインダ１１が設けられている。また、グリップ８の側面下方には、カメラ２を横位置で構えた際にシャッタレリーズが行いやすくなるように、横位置用シャッタボタン１２が設けられている。カメラ２の上面には、現像中のフイルムユニット１４が排出されるスリット形状のフイルム取出し口１５と、残り撮影枚数を表示するカウンタ窓１６と、カメラ２の電源のオン／オフに使用されるメインスイッチ１７と、被写体までの距離の設定に使用されるゾーンフォーカスボタン１８が設けられている。レンズ鏡筒４は、メインスイッチ１７の操作に連動して繰り出しと沈胴とを行う。
【００１８】
このカメラ２では、被写体までの距離を目測してゾーンフォーカスボタン１８を操作し、ファインダ１１で撮影範囲を確認した後にシャッタボタン１０を押下する。すると、前述した測光窓６を通して測光が行われ、続いて測定した測光値に基づいてレンズ鏡筒４内に組み込まれたシャッタ装置２０（図４参照）がレリーズ動作を行う。また、被写体の輝度が低い場合には、ストロボ発光部９から被写体に向けて自動的にストロボ発光が行われる。撮影後には、フイルム取出し口１５から、現像中のフイルムユニット１４が排出される。
【００１９】
カメラ２の要部断面図である図３に示すように、カメラ２は、本体基部２２と、この本体基部２２の前面側と背面側とを覆う前カバー２３及び後カバー２４とから構成されている。本体基部２２は、各種撮影機能部品が取り付けられるようになっており、背面側にはフイルムパック２５が装填されるパック室２６が形成され、前面側には撮影レンズ３からフイルムパック２５までの間の撮影光路を遮光するとともに、沈胴時のレンズ鏡筒４を収納する遮光筒２７が設けられている。パック室２６と遮光筒２７との間には、撮影開口が形成されている。後カバー２４には、パック室２６を開閉する板形状の蓋部材２９がヒンジ３０を介して取り付けられている。
【００２０】
図３と、フイルムパック２５の外観形状及びカメラ２に組み込まれている排出機構の概略的構成を表す図４に示すように、フイルムパック２５は、箱形状のケース３２と、このケース３２内に収納される複数枚のフイルムユニット１４と、フイルムカバー３３とから構成されている。ケース３２の前面には、フイルムユニット１４の露光面を露呈する矩形形状の露光開口３４が形成されており、上面には、フイルムカバー３３と露光済みのフイルムユニット１４とをケース３２外に排出するための排出口３５が設けられている。未使用時のフイルムパック２５は、排出口３５が遮光性を有するプラスチックフイルムで形成された固着用シート３６によって塞がれており、露光開口３４は、ケース３２内部からフイルムカバー３３によって塞がれている。
【００２１】
上記フイルムパック２５がカメラ２のパック室２６に装填されると、フイルムパック２５の前方にはシャッタユニット２０と撮影レンズ３とが配置され、シャッタユニット２０のレリーズ動作ごとに露光開口３４にセットされたフイルムユニット１４に撮影が行われる。また、シャッタユニット２０のレリーズ動作に連動して、フイルムユニット１４を機器外に排出する排出機構が作動する。この排出機構は、モータ３８の回転を減速して伝達する減速ギヤトレイン３９と、この減速ギヤトレイン３９から伝達された駆動力を用いて動作するクロー機構４０及び展開ローラ対４１とからなる。
【００２２】
クロー機構４０は、減速ギヤトレイン３９によって伝達されたモータ３８の回転運動を上下方向のスライド運動に変換し、周知のクロー部材４３を上下方向で移動させる。クロー部材４３は、露光開口３４に連なってケース３２の前面下方に形成された切欠４４内に下方から入り込み、最前列にあるフイルムカバー３３あるいはフイルムユニット１４の下端縁を掬い上げて、上方の排出口３５からケース３２外に送り出す。
【００２３】
展開ローラ対４１は、減速ギヤトレイン３９によって図中反時計方向に回転される駆動ローラ４６と、この駆動ローラ４６に従動して駆動ローラ４６と反対方向に回転する従動ローラ４７とからなり、従動ローラ４７は適正な付勢力で駆動ローラ４６に圧接されている。この展開ローラ対４１は、クロー部材４３によって送り出されたフイルムカバー３３あるいはフイルムユニット１４を挟み込んで回転し、上方に配置されたカメラ２のフイルム取出し口１５に向けて搬送する。また、展開ローラ対４１は、フイルムユニット１４の搬送中にフイルムユニット１４を現像させる。フイルムパック２５の排出口３５と展開ローラ対４１との間には、フイルムユニット１４の現像を補助する板形状の展延制御部材４８が配置されている。
【００２４】
図１は、フイルムパック２５の構成を示す分解斜視図である。フイルムユニット１４は、カメラやプリンタ等によって画像が露光される露光面１４ａと、この露光面１４ａの上方に配置されて現像液が封入された現像液ポッド１４ｂと、露光面１４ａを挟んで現像液ポッド１４ｂに対面するように配置されたトラップ部１４ｃとを備えている。このフイルムユニット１４は、未使用時からポジ像形成後まで１枚のシートとして取り扱われるモノシート型フイルムユニットであり、更に、露光される面とポジ像が形成される面とが異なる透過型フイルムユニットとなっている。そのため、露光面１４ａの反対側の面には、現像終了後にポジ像が形成されるポジ像形成面が設けられている。
【００２５】
上記フイルムユニット１４は、露光面１４ａに露光が行われると、前述したクロー機構４０及びクロー部材４３によってケース３２から送り出される。そして、ケース３２外に送り出されたフイルムユニット１４は展開ローラ対４１に挟み込まれて機器外に向けて搬送され、その際に、展開ローラ対４１の押圧によって現像液ポッド１４ｂが裂開される。露光面１４ａとポジ像形成面との間には、感光層と反射層を含む受像層とが設けられており、現像液ポッド１４ｂから流れ出た現像液は、これらの層の間に流し込まれて均一に展開される。現像液が流し込まれた感光層には光化学的に潜像が形成され、この潜像が反射層を介して受像層に受像される。これにより、ポジ像形成面に露光時の画像に対して反転されたポジ像が形成される。
【００２６】
また、前述の展延制御部材４８は、フイルムユニット１４のポジ像形成面に摺接して現像液の展延を補助する機能を有しており、感光層に均一に現像液を展開して高画質なプリントを得るようにすることができる。余剰現像液は前述のトラップ部１４ｃに送り込まれる。トラップ部１４ｃには、吸収性のよい材料で形成されたパッドが収められており、現像液はパッドに吸収されて固化される。
【００２７】
フイルムカバー３３は、遮光性を有するプラスチックで薄板状に形成されている。このフイルムカバー３３は、フイルムユニット１４よりも薄く形成されており、排出時に排出機構に大きな負荷が掛からないようにされている。ケース３２の排出口３５に対面するフイルムカバー３３の先端部には、遮光性を有するプラスチックフイルムで形成された先端遮光フラップ５０が取り付けられている。この先端遮光フラップ５０は、ケース３２内でフイルムユニット１４側に屈曲されて排出口３５の中央部分を塞ぐことにより、フイルムパック２５を地面に落下させた際等の衝撃によって、フイルムカバー３３やフイルムユニット１４が排出口３５から飛び出してしまうのを防止する。また、フイルムカバー３３の後端部の角部には、切欠４４をケース３２内から塞ぐ後端遮光フラップ（図示せず）が取り付けられている。
【００２８】
ケース３２は、箱形状に形成されたケース本体５２と、このケース本体５２の開放されている面を塞ぐようにケース本体５２の背面側に取り付けられる裏蓋５３と、この裏蓋５３の内壁面に取り付けられる固着用シート５４及び押圧板５５とから構成されている。ケース本体５２及び裏蓋５３は、ポリスチレンを用いて形成されている。
【００２９】
裏蓋５３には、左右方向に沿って長方形の開口５７，５８が２個形成されている。これらの開口５７，５８は、カメラ２の蓋部材２９の内面に設けられた押上げ部材５９，６０が挿入されるものである。押上げ部材５９，６０は、蓋部材２９の内面に取り付けられる略箱形状の台座部５９ａ，６０ａと、この台座部５９ａ，６０ａ内でカメラ２の前後方向に沿って移動自在とされた押圧片５９ｂ，６０ｂと、これら押圧片５９ｂ，６０ｂをカメラ２の前面側、すなわちパック室２６内に向けて付勢する板バネ５９ｃ，６０ｃとから構成されている。これら押上げ部材５９，６０は、パック室２６内にフイルムパック２５が装填されて蓋部材２９が閉じられた際に、開口５７，５８からケース３２内に入り込んで収納されているフイルムユニット１４の背面側を押圧し、露光開口３４に対面する位置にある最前列のフイルムユニット１４に平面性を付与する。
【００３０】
また、裏蓋５３の内面には、ケース３２内でフイルムユニット１４が不用意に移動して、露光開口３４とフイルムカバー３３との間に隙間が形成されないようにするために、フイルムユニット１４を露光開口３４側に向けて押し上げる支持片５３ａと、円弧形状の支持リブ５３ｂとが立設されている。フイルムユニット１４は、両端部に露光面１４ａよりも厚みのある現像液ポッド１４ｂとトラップ部１４ｃとが設けられているため、複数枚を重ねると中央部分が薄く、両端部が極端に厚くなってしまう。しかしながら、支持リブ５３ｂは、複数枚が重ねられた状態のフイルムユニット１４の形状に合わせた円弧形状とされているため、フイルムユニット１４を適正に押し上げてケース３２内の遮光を保つことができる。なお、支持片５３ａは、最後列に配置されたフイルムユニット１４の中央部分を支持し、フイルムユニット１４の中央部分が支持リブ５３ａの突出方向と反対方向に撓むことによる曲がり癖や折り目等を防止する。
【００３１】
固着用シート５４と押圧板５５とは、ポリスチレンと相溶性のあるプラスチック、例えば、ポリスチレンやポリスチレン変性ポリフェニレンエーテール等に遮光性物質を混入したプラスチックを用いて形成されており、ケース３２をリサイクルする際に、ケース３２を分解せずにそのまま粉砕して新たな原料として使用できるようにされている。
【００３２】
固着用シート５４は、肉厚０．３〜０．４５ｍｍとされて柔軟性が付与されており、裏蓋５３の開口５７，５８をケース３２内から塞いで遮光する。この固着用シート５４は、中央部に２個の穴５４ａ，５４ｂと開口５４ｃとが形成されており、穴５４ａ，５４ｂに裏蓋５３に設けられたカシメピン５３ｃ，５３ｄが挿入され、カシメピン５３ｃ，５３ｄがカシメられることにより裏蓋５３に中央部が固着される。開口５４ｃは、支持片５３ａをケース３２内に突出させるために形成されている。また、固着用シート５４の両側端縁で、開口５７，５８の遮光に支障のない位置には、固着用シート５４の中央に向かって形成された切欠５４ｄ，５４ｅが形成されている。これら切欠５４ｄ，５４ｅは、固着用シート５４の強度を落として更なる柔軟性を付与するためのものである。なお、押圧板５５で開口５７，５８を塞ぐ場合には、開口５４ｃや切欠５４ｄ，５４ｅが開口５７，５８に対面してもよい。
【００３３】
押圧板５５は、肉厚０．５〜１．０ｍｍとされており、フイルムユニット１４の押圧に適した弾性が付与されている。押圧板５５の中央部には、裏蓋５３のカシメピン５３ｃ，５３ｄと支持片５３ａとの干渉を避けるために、開口５５ａが形成されている。押圧板５５の下端縁と固着用シート５４の下端縁とは接着されている。
【００３４】
パック室２６内にフイルムパック２５が装填されて蓋部材２９が閉じられると、押上げ部材５９，６０は開口５７，５８からケース３２内に入り込む。その際に、押上げ部材５９，６０は固着用シート５４を介して押圧板５５を押圧し、押圧された押圧板５５はフイルムユニット１４のポジ像形成面側を均一な押圧力で押圧する。これにより、フイルムユニット１４は露光開口３４に向けて押し上げられ、露光開口３４にセットされたフイルムユニット１４に平面性が付与される。このように、弾性を有する押圧板５５を柔軟性を有する固着用シート５４を介して裏蓋５３に固着するようにしたので、ケース３２内での押圧板５５のズレは発生せず、また押上げ部材５９，６０の押圧力を強くしなくても押圧板５５をフイルムユニット１４に向けて押し上げることができる。
【００３５】
なお、固着用シート５４と押圧板５５との端部をフイルムユニット１４側に向けて折り曲げているのは、図５に示すように、フイルムパック２５が未使用の際に、固着用シート５４と押圧板５５との端部がフイルムユニット１４に当接し、固着用シート５４と押圧板５５とが裏蓋５３の内壁面に密着してケース３２内の遮光性が保たれるようにするためである。なお、従来のフイルムパックでは、遮光シートを裏蓋の内壁面に軟接着していたが、これが不必要となるためフイルムパックをコストダウンすることができる。
【００３６】
また、上述した押上げ部材５９，６０の押圧片５９ｂ，６０ｂの突出量は、図５に示すように、ケース３２内に１枚のフイルムユニット１４のみが収納されている際に、固着用シート５４と押圧板５５とを介してフイルムユニット１４を押圧できるだけの量とされている。これにより、ケース３２内のフイルムユニット１４の残り枚数が少なくなった際の押上げ部材５９，６０の押圧力が弱くなるため、フイルムユニット１４が撓んで露光開口３４から突出するようなことはない。
【００３７】
次に、上記実施形態の作用について説明する。図５に示すように、未使用のフイルムパック２５は、ケース３２の前面に形成された露光開口３４がフイルムカバー３３によって内側から塞がれ、上面に形成された排出口３５は外側に貼付された遮光シート３６によって塞がれている。また、ケース３２を構成する裏蓋５３に設けられた開口５７，５８は、固着用シート５４及び押圧板５５によって塞がれている。固着用シート５４及び押圧板５５の上下方向の両端部は、フイルムユニット１４側に折り曲げられてフイルムユニット１４の背面に当接しているため、固着用シート５４及び押圧板５５は裏蓋５３の内壁面に密着され、ケース３２内の遮光性が向上する。
【００３８】
未使用のフイルムパック２５をカメラ２のパック室２６に装填して蓋部材２９を閉鎖すると、図３に示すように、蓋部材２９の内壁面に設けられた押上げ部材５９，６０がケース３２の開口５７，５８に入り込み、固着用シート５４を介して押圧板５５を押圧する。押圧板５５は、自身の弾性でフイルムユニット１４のポジ像形成面を均一に押圧し、最前列のフイルムユニット１４に平面性を付与する。
【００３９】
フイルムパック２５のパック室２６への装填後、ユーザーがシャッタボタン１０を１度押圧してシャッタレリーズすることにより、フイルムカバー３３の排出が行われる。また、カメラによっては、蓋部材２９の閉鎖に連動してフイルムカバー３３の排出動作を行うものもある。
【００４０】
フイルムカバー３３の排出後には、露光開口３４の背後にフイルムユニット１４がセットされる。この状態でファインダ１１で撮影範囲を確認してシャッタボタン１０を押下すると、シャッタユニット２０が作動してフイルムユニット１４の露光面１４ａに撮影が行われる。また、シャッタユニット２０のレリーズ動作の終了に連動して、カメラ２内に組み込まれた排出機構が動作を開始する。
【００４１】
排出機構を構成するモータ３８が回転を開始すると、このモータ３８の回転が減速ギヤトレイン３９によって減速され、クロー機構４０に伝達される。クロー機構４０は、モータ３８の回転運動を上下方向のスライド運動に変換し、クロー部材４３を下方から上方へと１往復だけスライド移動させる。クロー機構４０により駆動されたクロー部材４３は、ケース３２の前面下方に形成された切欠４４内に下方から入り込み、フイルムユニット１４の下端部の幅方向の端部に当接し、上方に向かって掬いあげる。これにより、フイルムユニット１４はケース３２内で上方に移動され、排出口３５からケース３２の外に排出される。
【００４２】
ケース３２外に排出されたフイルムユニット１４は、展開ローラ対４１に挟み込まれる。展開ローラ対４１は、フイルムユニット１４の現像液ポッド１４ｂを裂開し、この現像液ポッド１４ｂから流れ出た現像液を露光面１４ａとポジ像形成面との間に設けられた感光層と受像層との間に展開する。また、展延制御部材４８は、搬送中のフイルムユニット１４に摺接して現像液を均一に展延する。展開ローラ対４１と展延制御部材４８とで現像液が展開されたフイルムユニット１４は、カメラ２のフイルム取出し口１５から排出され、一定時間後にポジ像形成面にポジ画像が形成される。
【００４３】
以上のようにして撮影を続けると、ケース３２内に収納されているフイルムユニット１４の残り枚数が少なくなるが、押上げ部材５９，６０は押圧板５５を介してフイルムユニット１４を均一に押し上げるため、フイルムユニット１４に常に適正な平面性を付与することができる。また、固着用シート５４は、薄肉にされるとともに切欠５４ｄ，５４ｅによって強度も低下されているため、押上げ部材５９，６０による押圧板５５の押圧を阻害することはない。
【００４４】
また、図６に示すように、押上げ部材５９，６０は、ケース３２内のフイルムユニット１４の残り枚数が１枚となった際に、固着用シート５４と押圧板５５とを介して押圧できるだけの突出量とされているため、フイルムユニット１４を押圧しすぎることはなく、フイルムユニット１４の平面性に悪影響を及ぼすことはない。
【実施例】
【００４５】
なお、本発明のために、各種肉厚の固着用シート５４及び押圧板５５と、各種突出量の押上げ部材５９，６０とを使用して、フイルムユニット１４の平面性及び排出性の実験を行った。以下、表１，表２に平面性の実験結果を、表３，表４に排出性の実験結果をそれぞれ示す。なお、押上げ部材５９，６０の突出量は、露光開口までの突出量のものを「従来」と表し、露光開口が設けられた面の内壁から固着用シート５４と押圧板５５とフイルムユニット１４との厚み分だけ背面側に寄った位置までの突出量を「本実施形態」と表している。また、排出性を表す表のマーク「〇」は全フイルムユニットの排出が成功したことを示し、「×」は排出不良の発生があったことを示す。また、平面性を表す表のマーク「〇」は常温で規格内であったことを示し、「×」は常温で規格外があったことを示す。平面性の基準は、カメラの焦点設定位置から±１ｍｍの範囲内となっている。
【００４６】
【表１】
2006195484.tif 000003
【００４７】
【表２】
2006195484.tif 000004
【００４８】
【表３】
2006195484.tif 000005
【００４９】
【表４】
2006195484.tif 000006
【００５０】
以上のような結果から、固着用シート５４と押圧板５５との組み合わせがフイルムユニット１４の排出性の改善に非常に効果的であることが分かる。また、押上げ部材５９，６０の突出量を低く抑えることで、ケース内のフイルムユニットの残り枚数に係わらず良好な平面性を付与できることが分かる。
【００５１】
なお、上記実施形態では、露光面とポジ像形成面とが異なる透過型のフイルムユニットを例に説明したが、露光面とポジ像形成面とが同一面とされた反射型フイルムユニットを収納するフイルムパック及びこれを使用するカメラにも適用することができる。また、フイルムパックを使用するプリンタ等にも利用することができる。更に、比較的小型なフイルムパックとこれを使用するカメラを例に説明したが、大型のフイルムパックとこれを使用するカメラにも利用することができる。
【図面の簡単な説明】
【００５２】
【図１】本発明のフイルムパックの構成を示す分解斜視図である。
【図２】本発明のカメラの外観を示す斜視図である。
【図３】カメラの構成を示す要部断面図である。
【図４】フイルムパックの外観及び排出機構の概略的構成とを示す説明図である。
【図５】未使用時のフイルムパック内部の状態を示す要部断面図である。
【図６】フイルムユニットの残枚数が１枚の際のフイルムパック内の状態を示す要部断面図である。
【符号の説明】
【００５３】
２  インスタントカメラ
１４  フイルムユニット
２５  フイルムパック
２６  パック室
２９  蓋部材
３２  ケース
５４  固着用シート
５５  押圧板
５９，６０  押上げ部材
【図１】
2006195484.tif 000007
【図２】
2006195484.tif 000008
【図３】
2006195484.tif 000009
【図４】
2006195484.tif 000010
【図５】
2006195484.tif 000011
【図６】
2006195484.tif 000012